(57)【要約】【課題】本発明は更なる低背化と回動部材１６の操作性を考慮し基板８０の側面に取付る構造のコネクタ１０を提供。【解決手段】本目的は略Ｈ形状をしたコンタクト１４と、長手方向両側に基板８０に固定するための固定具１８と、コンタクト１４の接触部３８を被覆する天井部２０を備え天井部２０の嵌合口３０側の端部には接続対象物が上方向にコジられた際の天井部２０の浮き上りを防止する防止壁２２が形成され長手方向両側に固定具１８を保持する延設壁２４を設け延設壁２４と回動部材１６の軸受け部２８との間にスリット２６を設けるハウジング１２と、操作部６０と押圧部５６と係止孔５８とを備え押圧部５６がコンタクト１４の接続部４８と押受部４０との間で回転軸６４が移動してコンパクトな回動するようにハウジング１２に装着する回動部材１６とを備え、基板８０に切欠き部８２を設けコネクタ１０を切欠き部８２に落込むように接続することで達成できる。【選択図】  図３
2006228446.tif 000002
【特許請求の範囲】
【請求項１】
基板の側面に取付られるコネクタであって、接続対象物と接触する少なくとも１つの接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、
一端側に前記接続対象物と接触する接触部と他端側に前記回動部材により押圧される押受部と該押受部の先端に内側に突出した突出部とを有する第一片と、一端側にもう一つの接触部と他端側に基板と接続する接続部ともう一つの前記接触部と前記接続部との間に支点部とを有する第ニ片と、前記第一片と前記支点部とを連結する弾性部とを備え、前記接触部と前記弾性部と前記支点部と前記接続部とを略クランク形状に配置するコンタクトと、長手方向両側に前記基板に固定するための固定具と、前記コンタクトの接触部を被覆する天井部を備えるとともに該天井部の前記嵌合口側の端部には前記接続対象物が上方向にコジられた際の前記天井部の浮き上がりを防止する防止壁が形成され、長手方向両側に前記固定具を保持する延設壁を設けるとともに該延設壁と前記回動部材の軸受け部との間にスリットを設けるハウジングと、回動させるための操作部と長手方向に連設した押圧部と前記押受部が挿入でき前記突出部と係合する別個独立の係止孔とを備え、前記押圧部が前記コンタクトの接続部と押受部との間で回動するように前記ハウジングに装着するとともに前記押圧部が回動する時は回転軸が移動してコンパクトな回転をする回動部材とを備え、前記基板に切欠き部を設け、前記コネクタを該切欠き部に落とし込むように接続することを特徴とするコネクタ。
【請求項２】
前記コンタクトの接続部の上面側で前記基板に接続するとともに前記回動部材を前記コネクタ搭載面と逆側で操作することを特徴とする請求項１記載のコネクタ。
【請求項３】
前記接続対象物を前記コネクタに接続する場合に、前記接続対象物と前記コネクタとの接続前の状態では前記押圧部の下端側が前記押受部の突出部と接続部との間に位置し、第ニに前記操作部を回動させると前記押圧部が嵌合口と反対方向に移動し下端が前記押受部の突出部と接続部との間に挟持され、第三に前記操作部をさらに回動させると第ニの位置で前記押圧部が押圧部の中心を回転軸として回動し、第四に前記操作部をさらに回動させると第三の位置で前記押圧部が押圧部の中心を回転軸として回動し前記押圧部が前記押受部と前記接続部との間でほぼ垂直になり回転軸が前記突出部に接した上端側に移動し、最後に前記操作部をさらに回動させると第四の位置で前記押圧部が前記突出部に接した上端側を中心に回動し前記押圧部を前記突出部に係合させることを特徴とする請求項１又は２記載のコネクタ。
【発明の詳細な説明】
【技術分野】
【０００１】
本発明は、モバイル機器等の電気・電子機器に使用されるコネクタに関するもので、特にフレキシブルプリント基板（以下「ＦＰＣ」という）やフレキシブルフラットケーブル（以下「ＦＦＣ」という）等の接続対象物との安定した接続が得られ、基板の側面に取り付ける構造に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
また、近年では、上述のスライダーに代えて、回動部材を使用して、コンタクトをＦＰＣ等の接続対象物に接触させる構造のものが増えてきている。このような構造の中にも、回動部材を接続対象物の挿入側で回動させるタイプ（フロント回動タイプ）と逆に挿入側と反対側で回動させるタイプ（バック回動タイプ）のものがある。
フロント回動タイプには特開２０００−１０６２３８（特許文献１）があり、バック回動タイプには特開２００３−２９７４８９（特許文献２）や特開平１１−３０７１９８号（特許文献３）や特開２００４−７１１６０（特許文献４）などがある。また、本出願人はバック回動タイプとして、さらに、特願２００４−２３３１９７（特許文献５）を提案している。
【特許文献１】特開２０００−１０６２３８の要約によると、ケーブルの芯数が多い場合でも操作力が小さくてすむケーブル用コネクタを提供することを目的とし、ケーブルの一面に対向する接触部とケーブルの反対面に対向する枢支部とを有するコンタクトと、ケーブルを接触部に圧接させるための操作子とを含み、操作子は、枢支部とケーブルとの間に位置するカム部と、枢支部が隙間をもって挿入された穴とを有し、枢支部はカム部に対応して凹部を有し、こうして操作子を枢支部に対しカム部を中心として回動自在なように係合させた構造のケーブル用コネクタが開示されている。ちなみに、特開２０００−１０６２３８の特許請求の範囲には、請求項１として、ケーブルの一面に対向する接触部と該ケーブルの反対面に対向する枢支部とを有するコンタクトと、前記コンタクトを保持したインシュレータと、前記ケーブルを前記接触部に圧接させるための操作子とを含むケーブル用コネクタにおいて、前記操作子は、前記枢支部と前記ケーブルとの間に位置するカム部と、前記枢支部を隙間をもって挿入された穴とを有し、前記枢支部は前記カム部に対応して凹部を有し、これにより前記操作子を前記枢支部に対し前記カム部を中心として回動自在なように係合させる構造のケーブル用コネクタ。請求項２として、前記インシュレータは、ケーブルの非接続時に前記操作子と係合し前記カム部が前記接触部から離間した状態に前記操作子を保持する係止部を有する構造のケーブル用コネクタ。請求項３として、前記ケーブルは平板状ケーブルであり、前記インシュレータはケーブルの接続時に前記平板状ケーブルの側縁部を受け入れて板厚方向への移動を係止するケーブル係止溝を有する構造のケーブル用コネクタ。請求項４として、コンタクトの接触部に一面を対向させたケーブルの反対面を回転式の操作子により前記接触部に向けて押圧することで前記コンタクトと前記ケーブルとの接続を得るケーブル用コネクタにおいて、前記接触部に少なくとも２つのコンタクト側突起を設け、一方、前記操作子には前記コンタクト側突起間に対応する操作子側突起を設ける構造のケーブル用コネクタ。請求項５として、前記コンタクトは前記ケーブルの反対面に対向する枢支部を有し、前記操作子は前記枢支部と前記ケーブルとの間に位置するカム部を有し、前記カム部に前記操作子側突起を設ける構造のケーブル用コネクタ等が開示されている。
【特許文献２】特開２００３−２９７４８９の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。  ちなみに、特開２００３−２９７４８９の特許請求の範囲には、請求項１として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記インシュレータは、前記コンタクトの少なくとも一方の接触部を嵌合側から被覆する天井部を有し、前記天井部に前記接続対象物の挿入をガイドするガイド部が形成される構造のコネクタ。請求項２として、前記コンタクトの少なくとも一方の接触部は、前記連結ばね部の近傍に前記接続対象物に向かって傾斜する傾斜部を有する構造のコネクタ。請求項３として、前記アクチュエータは、操作部と、前記コンタクトの被作動部を作動するカム部と、前記操作部と前記カム部との間に位置する逃げ溝とを有し、前記接続対象物と前記コネクタとの接続前の状態では、前記被作動部が前記逃げ溝に挿入可能である構造のコネクタ。請求項４として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記第１のビームの接触部は、前記接続対象物に向かって突出する第１の突起と第２の突起とを前記接続対象物の挿入方向に並んで有し、前記第２のビームの接触部は、前記接続対象物に向かって突出する第３の突起と第４の突起とを前記接続対象物の挿入方向に並んで有し、前記第３の��起が前記第１の突起と前記第２の突起との間に位置するか、又は、前記第１の突起が前記第３の突起と前記第４の突起との間に位置し、前記第１の突起と前記第２の突起、又は、前記第３の突起と前記第４の突起が、前記接続対象物と接触する接点となる構造のコネクタ等が開示されている。
【特許文献３】特開平１１−３０７１９８号の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。  ちなみに、特開平１１−３０７１９８号の特許請求の範囲には、請求項１として、複数のコンタクトが並列して設けられ、ＦＰＣ等の複数の端子を一括して接続するプリント配線板用コネクターにおいて、前記ＦＰＣ等が差し込まれる挿入溝を有するハウジングを備え、前記コンタクトは、前記挿入溝に対して突出後退自在に配置され、操作部材が、接続位置と解除位置とに移動自在に設けられ、前記操作部材が前記接続位置のとき、前記コンタクトは、前記操作部材に押圧されて前記挿入溝に突出し、前記ＦＰＣ等の前記端子に圧接して、前記端子と接続すると共に前記ＦＰＣ等を保持し、前記操作部材が前記解除位置のとき、一部の前記コンタクトは、前記挿入溝に対して僅かに突出し、前記ＦＰＣ等に当接して、前記ＦＰＣ等を仮保持し、残りの前記コンタクトは、前記挿入溝に対して後退するように構成される構造のプリント配線板用コネクター。請求項２として、複数のコネクターは、同一形状に形成され、操作部材には、複数のカムが、接続位置のとき、前記コンタクトを押圧して挿入溝に対して突出させ、解除位置のとき、一部の前記コンタクトを押圧して前記挿入溝に対して僅かに突出させ、残りの前記コンタクトを前記挿入溝に対して後退させるように設けられる構造のプリント配線板用コネクター等が開示されている。
【特許文献４】特開２００４−７１１６０の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。  ちなみに、特開２００４−７１１６０の特許請求の範囲には、請求項１として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、前記スライダーに長手方向に連設した押圧部を設け、該押圧部が前記コンタクトの接続部と押受部との間で回動自在に前記スライダーを前記ハウジングに装着する構造のコネクタ。請求項２として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、２種類のコンタクトを千鳥に配置し、一方のコンタクトには、接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには、接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、前記スライダーに長手方向に連設した押圧部を設け、該押圧部が一方のコンタクトの接続部と押受部との間及びもう一方のコンタクトの押受部と前記ハウジングとの間で回動自在に前記スライダーを���記ハウジングに装着する構造のコネクタ。請求項３として、前記スライダーの押圧部が一方の前記コンタクトの接続部と押受部との間で回動すると、前記押受部が押圧部によって押し上げられることで前記支点部を支点にし、前記弾性部が前記接触部側に傾くことによって、前記接触部が前記フレキシブルプリント基板（ＦＰＣ）又は前記フレキシブルフラットケーブル（ＦＦＣ）側に押圧される構造のコネクタ。請求項４として、一方若しくはもう一方の前記コンタクトの押受部の先端に突出部を設け、前記スライダーの押圧部が一方の前記コンタクトの接続部方向へ移動しないようにする構造のコネクタ。請求項５として、前記スライダーの押圧部の形状を細長形状にする構造のコネクタ。請求項６として、前記スライダーには、所要数の前記コンタクトの突出部と係合する係止孔を設け、該係止孔を別個独立にする構造のコネクタ。請求項７として、前記押圧部の細長形状を、楕円形にする構造のコネクタ。請求項８として、一方の前記コンタクトの支点部から延設した方向にも前記フレキシブルプリント基板（ＦＰＣ）又は前記フレキシブルフラットケーブル（ＦＦＣ）と接触する接触部を設ける構造のコネクタ。請求項９として、もう一方のコンタクトの前記支点部から接続部と反対方向に延設された延設部を設け、前記スライダーの押圧部が延設部と押受部との間で回動自在に前記スライダーを前記ハウジングに装着する構造のコネクタ。請求項１０として、もう一方の前記コンタクトの支点部と接続部との間にも前記フレキシブルプリント基板（ＦＰＣ）又は前記フレキシブルフラットケーブル（ＦＦＣ）と接触する接触部を設ける構造のコネクタ等が開示されている。
【特許文献５】特願２００４−２３３１９７の要約によると、コネクタの小型化や低背化が図れ簡単な操作や小さな操作力で安定した接続が得られ接続対象物がコジられても接続不良に繋がらないコネクタを提供することを目的とし、コンタクトは一端側に接続対象物と接触する接触部と他端側に回動部材により押圧される押受部と押受部の先端に内側に突出した突出部と有する第一片と一端側に基板と接続する接続部と他端側に支点部を有する第ニ片と第一片と支点部とを連結する弾性部とを備え接触部と弾性部と支点部と接続部とを略クランク形状に配置し、ハウジングは少なくとも両端側には接続対象物が上方向にコジられた際の天井部の浮き上がりを防止する防止壁が形成され、回動部材は操作部と押圧部と突出部と係止孔とを備え押圧部が回動する時は回転軸が移動してコンパクトな回転をする構造のコネクタが開示されている。  ちなみに、特願２００４−２３３１９７の特許請求の範囲には、請求項１として、接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、前記コンタクトは、一端側に前記接続対象物と接触する接触部と他端側に前記回動部材により押圧される押受部と該押受部の先端に内側に突出した突出部とを有する第一片と、一端側に支点部と他端側に基板と接続する接続部とを有する第ニ片と、前記第一片と前記支点部とを連結する弾性部とを備え、前記接触部と前記弾性部と前記支点部と前記接続部とを略クランク形状に配置し、前記ハウジングは、前記コンタクトの接触部を被覆する天井部を備え、該天井部の少なくとも両端側には前記接続対象物が上方向にコジられた際の前記天井部の浮き上がりを防止する防止壁が形成され、前記回動部材は、回動させるための操作部と長手方向に連設した押圧部と前記押受部が挿入でき前記突出部と係合する別個独立の係止孔とを備え、前記押圧部が前記コンタクトの接続部と押受部との間で回動するように前記ハウジングに装着するとともに前記押圧部が回動する時は回転軸が移動してコンパクトな回転をすることを特徴とするコネクタ。請求項２として、接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、２種類のコンタクトを千鳥に配置し、一方の前記コンタクトは、一端側に前記接続対象物と接触する接触部と他端側に前記回動部材により押圧される押受部とを有する第一片と、一端側に支点部と他端側に基板と接続する接続部とを有する第ニ片と、前記第一片と前記支点部とを連結する弾性部とを備え、前記接触部と前記弾性部と前記支点部と前記接続部とを略クランク形状に配置し、もう一方のコンタクトは、一端側に前記接続対象物と接触する接触部と他端側に前記回動部材により押圧される押受部とを有する第一片と、一端側に基板と接続する接続部と他端側に支点部とを有する第ニ片���、前記第一片と前記支点部とを連結する弾性部とを備え、前記接触部と前記弾性部と前記支点部と前記接続部とを略コ字状に配置するとともに少なくとも一方又はもう一方のコンタクトの押受部の先端に内側に突出した突出部を設け、前記ハウジングは、前記コンタクトの接触部を被覆する天井部を備え、該天井部の少なくとも両端側には前記接続対象物が上方向にコジられた際の前記天井部の浮き上がりを防止する防止壁が形成され、前記回動部材は、回動させるための操作部と長手方向に連設した押圧部と前記押受部が挿入でき前記突出部と係合する別個独立の係止孔とを備え、前記押圧部が一方の前記コンタクトの接続部と押受部との間及びもう一方のコンタクトの押受部と前記ハウジングとの間で回動するように前記ハウジングに装着するとともに前記押圧部が回動する時は回転軸が移動してコンパクトな回転をすることを特徴とするコネクタ。請求項３として、前記接続対象物を前記コネクタに接続する場合に、前記接続対象物と前記コネクタとの接続前の状態では前記押圧部の下端側が前記押受部の突出部と接続部、ハウジング若しくは延設部との間に位置し、第ニに前記操作部を回動させると前記押圧部が嵌合口と反対方向に移動し下端が前記押受部の突出部と接続部、ハウジング若しくは延設部との間に挟持され、第三に前記操作部をさらに回動させると第ニの位置で前記押圧部が押圧部の中心を回転軸として回動し、第四に前記操作部をさらに回動させると第三の位置で前記押圧部が押圧部の中心を回転軸として回動し前記押圧部が前記押受部と前記接続部、ハウジング若しくは延設部との間でほぼ垂直になり回転軸が前記突出部に接した上端側に移動し、最後に前記操作部をさらに回動させると第四の位置で前記押圧部が前記突出部に接した上端側を中心に回動し前記押圧部を前記突出部に係合させることを特徴とする請求項１又は２記載のコネクタ。請求項４として、前記天井部のほぼ中央部付近にも前記接続対象物が上方向にコジられた際の前記天井部の浮き上がりを防止する防止壁を形成することを特徴とする請求項１、２又は３記載のコネクタ。請求項５として、前記コンタクト及び一方の前記コンタクトの支点部から前記接触部と対向する方向に突出する延設部を設けることを特徴とする請求項１又は２記載のコネクタ。請求項６として、もう一方の前記コンタクトの前記支点部から前記押受部と対向する方向に突出する延設部を設け、前記回動部材の押圧部が延設部と押受部との間で回動するように前記回動部材を前記ハウジングに装着することを特徴とする請求項２記載のコネクタ。請求項７として、前記コンタクトと一方の前記コンタクトの延設部及びもう一方の前記コンタクトの支点部と接続部との間にも前記接続対象物と接触する接触部を設けることを特徴とする請求項２、４又は５記載のコネクタ。請求項８として、前記ハウジングには前記嵌合口側に前記接続対象物を誘う凹部を設け、もう一方のコンタクトの接続部が前記凹部から突出しないように配置することを特徴とする請求項２又は３載のコネクタ。請求項９として、前記接続対象物に係止部を設け、該係止部と係合する係合部を有するとともに前記コンタクト、一方の前記コンタクト若しくはもう一方の前記コンタクトと同���構造にしたロック部材を使用することを特徴とする請求項１から８項のうちいずれか１項記載のコネクタ。請求項１０として、前記コンタクトと一方の前記コンタクトの延設部及びもう一方の前記コンタクトの支点部と接続部との間に設ける前記接触部に弾性を持たせることを特徴とする請求項７記載のコネクタ。請求項１１として、前記ハウジングに、前記コンタクト及び一方の前記コンタクトの接続部に対応した位置に係止部を設け、前記コンタクト及び一方の前記コンタクトの接続部に前記係止部と係合する斜めの係合部を設け、前記コンタクト及び一方の前記コンタクトの延設部は前記ハウジングに保持されないことを特徴とする請求項９又は１０記載のコネクタ。請求項１２として、前記コンタクト及び一方の前記コンタクトを、前記ハウジングに嵌合口と反対側より挿入していくと、前記係合部に前記係止部が係合し始めた段階では前記コンタクトの接触部は前記ハウジングの挿入孔と略平行状態であるが、さらに挿入されると前記コンタクトは斜めに傾き前記接触部は前記挿入孔の上壁と接し、挿入が完了すると斜めの前記凹部により前記接触部が前記挿入孔と平行状態に戻ることを特徴とした請求項１１記載のコネクタ等が開示されている。
【発明の開示】
【発明が解決しようとする課題】
【０００３】
上記のような特許文献１〜５は、いずれにせよ回動部材を嵌合側若しくは嵌合側の反対側で、回動させることで、ＦＰＣ等の接続対象物にコンタクトを接触させる構造のもので、基板の上面若しくは下面に搭載されるものである。
客先の仕様や基板の実装スペース上から上記特許文献１〜５の構造のコネクタでも基板の側面側に取付られることが多いが、客先の仕様によっては基板の片面側にのみ部品を搭載した場合に、特許文献１〜５のコネクタでは０．９ｍｍ（コネクタの実装高さ）以下の低背化をすることが出来ず、かつ、回動部材の操作がし難いといった課題があった。
また、特許文献１〜５のような構造のものでは、基板の側面に取付られた際にＦＰＣ等の接続対象物がコジられた場合のコネクタの保持力が弱く、コネクタが外れてしまうと言った問題点もあった。
【０００４】
本発明は、このような従来の問題点に鑑みてなされたもので、更なる低背化と回動部材１６の操作性を考慮し、基板の側面に取付られてもコネクタが外れることがない構造のコネクタを提供せんとするものである。
【課題を解決するための手段】
【０００５】
上記目的は、基板８０の側面に取付られるコネクタ１０であって、接続対象物と接触する少なくとも１つの接触部３８を有する複数のコンタクト１４と、該コンタクト１４が配列・保持されるとともに前記接続対象物が挿入される嵌合口３０を有するハウジング１２と、前記コンタクト１４を弾性変形させて前記接続対象物に押圧する回動部材１６とを備えるコネクタ１０において、一端側に前記接続対象物と接触する接触部３８と他端側に前記回動部材１６により押圧される押受部４０と該押受部４０の先端に内側に突出した突出部４２とを有する第一片３４と、一端側にもう一つの接触部３８と他端側に基板８０と接続する接続部４８ともう一つの前記接触部３８と前記接続部４８との間に支点部４４とを有する第ニ片３６と、前記第一片３４と前記支点部４４とを連結する弾性部４６とを備え、前記接触部３８と前記弾性部４６と前記支点部４４と前記接続部４８とを略クランク形状に配置するコンタクト１４と、長手方向両側に前記基板８０に固定するための固定具１８と、前記コンタクト１４の接触部３８を被覆する天井部２０を備えるとともに該天井部２０の前記嵌合口３０側の端部には前記接続対象物が上方向にコジられた際の前記天井部２０の浮き上がりを防止する防止壁２２が形成され、長手方向両側に前記固定具１８を保持する延設壁２４を設けるとともに該延設壁２４と前記回動部材１６の軸受け部２８との間にスリット２６を設けるハウジング１２と、回動させるための操作部６０と長手方向に連設した押圧部５６と前記押受部４０が挿入でき前記突出部４２と係合する別個独立の係止孔５８とを備え、前記押圧部５６が前記コンタクト１４の接続部４８と押受部４０との間で回動するように前記ハウジング１２に装着するとともに前記押圧部５６が回動する時は回転軸６４が移動してコンパクトな回転をする回動部材１６とを備え、前記基板８０に切欠き部８２を設け、前記コネクタ１０を該切欠き部８２に落とし込むように接続することにより達成できる。
【０００６】
前記コンタクト１４の接続部４８の上面５２側で前記基板８０に接続するとともに前記回動部材１６を前記コネクタ１０搭載面と逆側で操作する。
前記接続対象物を前記コネクタ１０に接続する場合に、前記接続対象物と前記コネクタ１０との接続前の状態では前記押圧部５６の下端６８側が前記押受部４の突出部４２と接続部４８との間に位置し、第ニに前記操作部６０を回動させると前記押圧部５６が嵌合口３０と反対方向に移動し下端６８が前記押受部４０の突出部４２と接続部４８との間に挟持され、第三に前記操作部６０をさらに回動させると第ニの位置で前記押圧部５６が押圧部５６の中心を回転軸６４として回動し、第四に前記操作部６０をさらに回動させると第三の位置で前記押圧部５６が押圧部５６の中心を回転軸６４として回動し前記押圧部５６が前記押受部４０と前記接続部４８との間でほぼ垂直になり回転軸６４が前記突出部４２に接した上端６６側に移動し、最後に前記操作部６０をさらに回動させると第四の位置で前記押圧部５６が前記突出部４２に接した上端６６側を中心に回動し前記押圧部５６を前記突出部４２に係合させる。
【０００７】
本コネクタの作用としては、前記ＦＰＣ又はＦＦＣ等の接続対象物が前記ハウジング１２の嵌合口３０内に挿入された後に、前記回動部材１６の押圧部５６が前記コンタクト１４の接続部４８と押受部４０との間で回動すると、前記押受部４０が押圧部５６によって押し上げられることで前記コンタクト１４の支点部４４を支点にし、前記コンタクト１４の弾性部４６が上側の前記接触部３８側に傾くことによって、前記接触部３８が前記ＦＰＣ又はＦＦＣ等の接続対象物側に押圧される。
【発明の効果】
【０００８】
以上の説明から明らかなように、本発明のコネクタ１０によると、次のような優れた効果が得られる。
（１）基板８０の側面に取付られるコネクタ１０であって、接続対象物と接触する少なくとも１つの接触部３８を有する複数のコンタクト１４と、該コンタクト１４が配列・保持されるとともに前記接続対象物が挿入される嵌合口３０を有するハウジング１２と、前記コンタクト１４を弾性変形させて前記接続対象物に押圧する回動部材１６とを備えるコネクタ１０において、一端側に前記接続対象物と接触する接触部３８と他端側に前記回動部材１６により押圧される押受部４０と該押受部４０の先端に内側に突出した突出部４２とを有する第一片３４と、一端側にもう一つの接触部３８と他端側に基板８０と接続する接続部４８ともう一つの前記接触部３８と前記接続部４８との間に支点部４４とを有する第ニ片３６と、前記第一片３４と前記支点部４４とを連結する弾性部４６とを備え、前記接触部３８と前記弾性部４６と前記支点部４４と前記接続部４８とを略クランク形状に配置するコンタクト１４と、長手方向両側に前記基板８０に固定するための固定具１８と、前記コンタクト１４の接触部３８を被覆する天井部２０を備えるとともに該天井部２０の前記嵌合口３０側の端部には前記接続対象物が上方向にコジられた際の前記天井部２０の浮き上がりを防止する防止壁２２が形成され、長手方向両側に前記固定具１８を保持する延設壁２４を設けるとともに該延設壁２４と前記回動部材１６の軸受け部２８との間にスリット２６を設けるハウジング１２と、回動させるための操作部６０と長手方向に連設した押圧部５６と前記押受部４０が挿入でき前記突出部４２と係合する別個独立の係止孔５８とを備え、前記押圧部５６が前記コンタクト１４の接続部４８と押受部４０との間で回動するように前記ハウジング１２に装着するとともに前記押圧部５６が回動する時は回転軸６４が移動してコンパクトな回転をする回動部材１６とを備え、前記基板８０に切欠き部８２を設け、前記コネクタ１０を該切欠き部８２に落とし込むように接続しているので、前記コネクタ１０を基板８０の側面に取り付ける場合であっても、ＦＰＣ７０等の接続対象物がコジられた場合であっても、コネクタ１０が外れることがなく、基板８０の厚さ分の低背が可能になり、０．４ｍｍの基板であれば、コネクタの高さが１．０ｍｍあっても、基板８０を含めた高さは０．６ｍｍ程度にすることができる。
（２）前記コンタクト１４の接続部４８の上面５２側で前記基板８０に接続とともに前記回動部材１６を前記コネクタ１０搭載面と逆側で操作しているので、基板８０の厚さ分の低背が可能になり、かつ、他の部品や前記コネクタ１０が搭載されていない面側で前記回動部材１６を操作できるため容易に回動部材１６を操作できる。
（３）前記接続対象物を前記コネクタ１０に接続する場合に、前記接続対象物と前記コネクタ１０との接続前の状態では前記押圧部５６の下端６８側が前記押受部４の突出部４２と接続部４８との間に位置し、第ニに前記操作部６０を回動させると前記押圧部５６が嵌合口３０と反対方向に移動し下端６８が前記押受部４０の突出部４２と接続部４８との間に挟持され、第三に前記操作部６０をさらに回動させると第ニの位置で前記押圧部５６が押圧部５６の中心を回転軸６４として回動し、第四に前記操作部６０をさらに回動させると第三の位置で前記押圧部５６が押圧部５６の中心を回転軸６４として回動し前記押圧部５６が前記押受部４０と前記接続部４８との間でほぼ垂直になり回転軸６４が前記突出部４２に接した上端６６側に移動し、最後に前記操作部６０をさらに回動させると第四の位置で前記押圧部５６が前記突出部４２に接した上端６６側を中心に回動し前記押圧部５６を前記突出部４２に係合させているので、回転する支点が一点でなく、その都度支点が移動するため省スペースでのコンパクトな回動が可能で、バネのヘタリや高ロック力を防止することができ、押受部４０と接続部４８と突出部４２の３点で押圧部５６を固定しているため確実にモーメントを付勢することができる。
【発明を実施するための最良の形態】
【０００９】
図１から図７に基づいて、本発明のコネクタの一実施例について説明する。
図１（Ａ）は回動部材が開いた状態の嵌合口側からみた本発明のコネクタの斜視図であり、（Ｂ）は回動部材が開いた状態の接続部側からみた本発明のコネクタの斜視図である。図２（Ａ）はＦＰＣが挿入された状態の嵌合口側からみた本発明のコネクタの斜視図であり、（Ｂ）はＦＰＣが挿入された状態の接続部側からみた本発明のコネクタの斜視図である。図３（Ａ）は基板の実装された状態の嵌合側よりみた本発明のコネクタの斜視図であり、（Ｂ）は基板の実装された状態の接続側よりみた本発明のコネクタの斜視図である。図４（Ａ）は嵌合側よりみた回動部材の斜視図であり、（Ｂ）は接続側よりみた回動部材の斜視図である。図５は２つの接触部を持ったコンタクトの斜視図である。図６（Ａ）はＦＰＣが挿入されない状態のあるコンタクト部分で断面した本発明のコネクタの断面図であり、（Ｂ）はＦＰＣが挿入された状態のあるコンタクト部分で断面した本発明のコネクタの断面図である。図７は回動部材が回動する場合の押圧部と回転軸の移動を説明する説明図である。
本発明のコネクタ１０は、主にハウジング１２と回動部材１６とコンタクト１４と固定具１８を備えている。
【００１０】
図に基づいて本発明のコネクタの構成部品について説明する。
まず、コンタクト１４について説明する。このコンタクト１４は金属製であり、公知技術のプレス加工によって製作されている。前記コンタクトの材質としては、バネ性や導電性などが要求されるので、黄銅やベリリウム銅やリン青銅等を挙げることができる。
前記コンタクト１４は、図５のように略逆Ｈ字形状をしており、一端側に前記接続対象物と接触する接触部３８と他端側に前記回動部材１６により押圧される押受部４０と該押受部４０の先端に内側に突出した突出部４２と有する第一片３４と、一端側にもう一つの接触部３８と他端側に基板８０と接続する接続部４８ともう一つの前記接触部３８と前記接続部４８との間に支点部４４とを有する第ニ片３６と前記第一片３４と前記第ニ片３６の前記支点部４４とを連結する弾性部４６と、前記接続部４８の近傍に固定部５０とを備えている。前記第一片３４の前記接触部３８と前記弾性部４６と前記支点部４４と前記接続部３８とを略クランク形状に配置している。
前記接触部３８、３８は、ＦＰＣ７０又はＦＦＣ等の接続対象物と接触し易いように凸部形状にしており、前記接続部４８は本実施例では図５のように表面実装タイプ（ＳＭＴ）にしているが、ディップタイプでも良い。即ち、２つの接触部３８、３８を設けて、前記ＦＰＣ７０又はＦＦＣを挟持するようにする。前記ＦＰＣ４７又はＦＦＣの挿入方向に対して、直角方向両側に接触部３８、３８を設けることで、前記ＦＰＣ７０又はＦＦＣを２つの接触部３８、３８で挟持することになり、確実に前記ＦＰＣ７０又はＦＦＣと接触できるようになる。
【００１１】
前記支点部４４と前記弾性部４６と前記押受部４０とは、前記ＦＰＣ７０又はＦＦＣ等の接続対象物が挿入された際に、次のような作用を果たすための部分である。前記ＦＰＣ７０又はＦＦＣ等の接続対象物が前記ハウジング１２の嵌合口１８内に挿入された後に、前記回動部材１６の押圧部５６が前記コンタクト１４の接続部４８と押受部４０との間で回動すると、前記押受部４０が押圧部５６によって押し上げられることで前記コンタクト１４の支点部４４を支点にし、前記コンタクト１４の弾性部４６が前記第一片３４の前記接触部３８側に傾くことによって、前記接触部３８が前記ＦＰＣ７０又はＦＦＣ等の接続対象物側に押圧される。前記支点部４４と前記弾性部４６と前記押受部４０の大きさや形状は、このような作用を果たすために、適宜設計されている。
また、前記コンタクト１４の押受部４０の先端に突出部４２を設け、回動部材１６の押圧部５６をコンタクト１４の押受部４０と接続部４８との間で回動させるときは回動部材１６の回動に対する反発力が強い為に、回動部材１６の中央部が図２（Ａ）の矢印「ロ」方向に膨れてしまうことを防ぐようにしている。前記突出部４２の大きさは、このような役割を果たすことが出来れば如何なる大きさでもよく、回動部材１６の押圧部５６が引っ掛かる程度に適宜設計する。
さらに、前記突出部４２の役割としては、前記回動部材１６の回動が終了し、接続対象物と前記コンタクト１４が接触している際に、前記回動部材１６の押圧部５６が倒れないように保持することも兼ねている。
【００１２】
次に、回動部材１６について説明する。この回動部材１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該回動部材１６は主に操作部６０とハウジング１２に回動可能に装着される軸６２部分と前記コンタクト１４の押受部４０を押圧する押圧部５６と前記コンタクト１４の突出部４２が係合する係止孔５８とを備えている。前記軸６２は、回動部材１６を回動するための支点であり、ハウジング１２の長手方向両側に回動部材１６が回動可能に適宜装着されている。また、長手方向両側には、前記コンタクト１４の押受部４０を押圧した際に回動部材１６が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタの大きさや強度等を考慮して適宜設計する。
【００１３】
前記押圧部５６は、コンタクト１４の押受部４０に押し付ける部分であり、その形状としては細長形状にすることが望ましく、本実施例では楕円形状をしている。このように楕円形状にすることによって、図１（Ａ）のように回動部材１６を矢印「イ」方向に回動させ、コンタクト１４の押受部４０と接続部４８との間で回転させることで、押圧部５６の大きさの変化によりコンタクト１４の押受部４０が持ち上げられ、ＦＰＣ７０又はＦＦＣ等の接続対象物にコンタクト１４の接触部３８側を押し付けている。前記押圧部５６の形状としては、コンタクト１４の押受部４０と接続部４８との間で回転でき、長軸と短軸といった大きさの違いにより前記コンタクト１４の押受部４０を押し上げられれば、如何なるものでもよい。
また、前記回動部材１６を回動した際に、回動部材１６の回動に対する反発力が強く、回動部材１６の中央部が図２（Ａ）の矢印「ロ」方向に膨れてしまうことを防ぐようにする為に、前記コンタクト１４の突出部４２が係合する係止孔５８が別個独立に設けられている。前記係止孔５８を別個独立に設けることで、回動部材１６の強度アップや回動時の変形を防止している。
【００１４】
次にに、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクト１４が装着される挿入溝３２が設けられており、圧入や引っ掛け（ランス）や溶着等によって固定されている。また、長手方向両側の所定の位置には、前記回動部材１６の軸６２が回動可能に装着される軸受け部２８が設けられている。この軸受け部２８の形状や大きさは、回動部材１６の軸６２が回動できるように装着されていれば如何なるものでもよく、この役割やハウジング１２の強度や大きさ等を考慮して適宜設計する。なお、長手方向両側には、前記回動部材１６のロック部に対応した位置に係止部が設けられている。
【００１５】
長手方向両側には、前記固定具１８を固定する延設壁２４、２４が設けられている。該延設壁２４の大きさは、コネクタ１０の小型化や前記固定具１８の保持力等を考慮して設計する。前記延設壁２４と前記軸受け部２８との間には、スリット２６が設けられている。該スリット２６は前記回動部材１６のロック部が前記ハウジング１２に係合し易いように弾性を持たせるためのものであり、前記スリット２６の大きさは該役割やコネクタ１０の小型化や前記ハウジング１２の強度等を考慮して適宜設計されている。
【００１６】
前記ハウジング１２は、前記コンタクト１４の第一片３４の接触部３８を被覆する天井部２０を備え、該天井部２０の前記嵌合口３０側の端部には前記接続対象物が上方向にコジられた際の前記天井部２０の浮き上がりを防止する防止壁２２が形成されている。該防止壁２２とは嵌合口３０の先端部分をテーパー形状にすることなく、エッジ形状にしたもののことである。本実施例では、嵌合口３０側の全ての端部に防止壁２２を形成した。前記防止壁２２を形成することによりＦＰＣ７０等の接続対象物をガイドする作用・効果は果たさなくなっている。前記ＦＰＣ７０等の接続対象物を前記嵌合口３０内へ導く方法としては、図１（Ａ）や図３（Ａ）の嵌合口３０の前記ハウジング１２の下側面に前記ＦＰＣ７０をぶつけるように挿入する。このように挿入することで、容易に嵌合口３０内に導くことができる。
【００１７】
コネクタにＦＰＣ７０を挿入した状態で、前記ＦＰＣ７０をコネクタに対して、垂直に前記ＦＰＣ７０を引張試験機で引張った。（使用状態で上方向にコジられた場合と同様の状態になる。）その結果を、下記の表１及びグラフ１に示す。表１及びグラフ１に示す保持力の現す意味は、垂直方向に前記ＦＰＣ７０を引っ張った場合の前記コンタクト１４と前記ＦＰＣ７０との接触が遮断したときの力である。
ここでいう従来品とは防止壁２２を設けないで、嵌合口３０の天井部２０の全てをテーパー形状にしたものであり、改良品１（両端のみ）とは天井部の嵌合口の両側に防止壁２２を設けたもの（即ち、両側部分だけテーパー形状になっていないもの）であり、改良品２（全体）とは天井部２０全てに防止壁２２を設けたものである。
【００１８】
【表１】
2006228446.tif 000003
【００１９】
【表２】
2006228446.tif 000004
グラフ１
【００２０】
表１及びグラフ１（表２）から、平均でみると、１８芯では改良品１（両端のみ）で４．６Ｎ、改良品２（全体）で５．２N、２７芯では改良品１で４．４Ｎ、改良品２で４．５N程度保持力（接触が遮断するまでの力）がアップし、保持力が従来に比べ改良品１及び改良品２でも約２倍になった。この結果からも防止壁２２を嵌合口３０の両端部分だけ及び全体にに設けるとこのような保持力（接触が遮断するまでの力）のアップに繋がることがはっきりした。即ち、前記防止壁２２を嵌合口３０の両端部分だけ及び全体に設けることで、コジられた場合の接触安定性を意味する保持力が約２倍に上昇した。これは、コジリに対する接触安定性が増したことを意味している。また、前記防止壁２２を両端部分にだけ設けたものと全体に設けた場合の保持力（接触が遮断するまでの力）を比較するとあまり大差がないことも判る。改善比率では１８芯で２２０．３％、２７芯で１９７．２％と良くなっている。改善比率とは、改良品を従来品で割った値である。前記防止壁２２を設ける数及び位置としては、少なくとも嵌合口３０の天井部２０の両端側のみに防止壁２２を形成した場合と天井部２０の全体に防止壁２２を形成した場合との保持力（接触が遮断するまでの力）が大差ないことやコジられた場合のＦＰＣ７０等の接続対象物の傷つき防止（破損）を考慮すると、できる限り少ない箇所がよい。本実施例では、図１のように、コジリに対する安定性を考慮して、嵌合口３０の全ての部分に防止壁２２を設けた。しかし、両端部分にのみ設けたものでも、バランスを考え両端と中央の３箇所に形成したものでもよいことは言うまでもない。コジられた場合のＦＰＣ７０等の接続対象物の傷つき防止（破損）をするためには、コジられた際に接続対象物と接しないように適宜設計するば良く、テーパーやＣ面取りやＲ形状や一段凹部にすること等が考えられる。コネクタのデザイン性や材料費等を考慮するとテーパー形状がよいが、金型加工時の加工Ｒでも十分である。
嵌合口３０内への誘い込みについては、上述及び下述するような方法をとれば、嵌合口３０の天井部２０をテーパー形状にしなくても十分に誘い込みが可能である。
【００２１】
ここで、図７に基づいて、前記回動部材１６の押圧部５６の移動及び回動の仕方について説明する。
図７（Ａ）は前記接続対象物と前記コネクタ１０との接続前の状態で、前記押圧部５６の下端６８側が前記押受部４０の突出部４２と接続部４８との間に位置する。
図７（Ｂ）のように、前記操作部６０を回動（図面の時計回り方向）させると前記押圧部５６が嵌合口３０と反対方向に移動し、前記押圧部５６の下端６８が前記押受部４０の突出部４２と接続部４８との間に挟持される。
図７（Ｃ）のように、前記操作部６０をさらに回動させると（Ｂ）の位置で前記押圧部５６が押圧部５６の中心を回転軸６４として回動する。
図７（Ｄ）のように、前記操作部６０をさらに回動させると（Ｃ）の位置で前記押圧部５６が押圧部５６の中心を回転軸６４として回動し、前記押圧部５６が前記押受部４０と前記接続部４８との間でほぼ垂直になり回転軸６４が前記突出部４２に接した上端６６側に移動する。
図７（Ｅ）のように、前記操作部６０をさらに回動させると（Ｄ）の位置で前記押圧部５６が前記突出部４２に接した上端６６側を中心に回動し、前記押圧部５６を前記突出部４２に引っ掛かった状態に係合させる。
即ち、前記押圧部５６は最初は移動し、その後回動し、さらに回動を続けると回転軸６４が変化して、省スペース間でコンパクトな回動（回転）を行なうものである。
つまり、本発明のコネクタ１０では、前記ＦＰＣ７０等の接続対象物を嵌合口３０内に挿入する際に挿入力の掛からない（所謂、ゼロ・インサーション・フォース（ＺＩＦ））構造で、前記回動部材１６の押圧部５６をより前記コンタクト１４の突出部４２側で回動させる（より突出部４２側で前記コンタクト１４の押受部４０を押し上げる）ことで小さな力で前記回動部材１６をロックできる構造で、かつ、前記回動部材１６の押圧部５６でより前記コンタクト１４の突出部４２側の押受部４０を押し上げることで高い接触力を得られる構造になっている。
【００２２】
次に、固定具１８について説明する。この固定具１８は金属製であり、公知技術のプレス加工によって製作されている。前記固定具１８の材質としては、バネ性や導電性などが要求されるので、黄銅やベリリウム銅やリン青銅等を挙げることができる。
前記固定具１８は略板状片であり、前記ハウジング１２の延設壁２４に圧入や一体成型や溶着等によって固定されている。前記固定具１８の位置は、客先の仕様や基板８０の取付位置等を考慮して設計している。本実施例では、基板８０に切欠き部８２を設けて、他の部品等の搭載側よりコネクタ１０を取付け、前記回動部材１６を他の部品等の搭載がわと反対側で操作するように固定するために、前記ハウジング１２の厚み方向のほぼ中央部に装着している。前記固定具１８の大きさは、保持力や基板の占有面積等を考慮して設計している。
【００２３】
最後に、コネクタ１０の基板８０への取付けについて説明する。近年の低背要求に対応するために、図３のように、基板８０に切欠き部８２を設け、前記コネクタ１０を該切欠き部８２に落とし込むように取付けようにする。このようにすることで、基板８０とコネクタとを含めた全体の低背化に繋がることになる。つまり、基板８０の厚さ分の低背が可能になり、０．４ｍｍの基板であれば、コネクタの高さが１．０ｍｍあっても、基板８０を含めた高さは０．６ｍｍ程度にすることができる。基板８０の切欠き部８２の大きさはコネクタ１０の大きさや基板８０の強度や取付け位置等を考慮して適宜設計する。
【産業上の利用可能性】
【００２４】
本発明の活用例としては、モバイル機器等の電気機器や電子機器に使用されるコネクタに活用され、特にフレキシブルプリント基板（以下「ＦＰＣ」という）やフレキシブルフラットケーブル（以下「ＦＦＣ」という）等の接続対象物との安定した接続が得られ、基板の側面に取り付ける構造に関するものである。
【図面の簡単な説明】
【００２５】
【図１】（Ａ）  回動部材が開いた状態の嵌合口側からみた本発明のコネクタの斜視図である。（Ｂ）  回動部材が開いた状態の接続部側からみた本発明のコネクタの斜視図である。
【図２】（Ａ）  ＦＰＣが挿入された状態の嵌合口側からみた本発明のコネクタの斜視図である。（Ｂ）  ＦＰＣが挿入された状態の接続部側からみた本発明のコネクタの斜視図である。
【図３】（Ａ）  基板の実装された状態の嵌合側よりみた本発明のコネクタの斜視図である。（Ｂ）  基板の実装された状態の接続側よりみた本発明のコネクタの斜視図である。
【図４】（Ａ）  嵌合側よりみた回動部材の斜視図である。（Ｂ）  接続側よりみた回動部材の斜視図である。
【図５】２つの接触部を持ったコンタクトの斜視図である。
【図６】（Ａ）  ＦＰＣが挿入されない状態のあるコンタクト部分で断面した本発明のコネクタの断面図である。（Ｂ）  ＦＰＣが挿入された状態のあるコンタクト部分で断面した本発明のコネクタの断面図である。
【図７】回動部材が回動する場合の押圧部と回転軸の移動を説明する説明図である。
【符号の説明】
【００２６】
１０          コネクタ
１２          ハウジング
１４          コンタクト
１６          回動部材
１８          固定具
２０          天井部
２２          防止壁
２４          延設壁
２６          スリット
２８          軸受け部
３０          嵌合口
３２          挿入溝
３４          第一片
３６          第ニ片
３８          接触部
４０          押受部
４２          突出部
４４          支点部
４６          弾性部
４８          接続部
５０          固定部
５２          上面
５４          延設部
５６          押圧部
５８          係止孔
６０          操作部
６２          軸
６４          回転軸
６６          上端
６８          下端
７０          ＦＰＣ
８０          基板
８２          切欠き部
【図１】
2006228446.tif 000005
【図２】
2006228446.tif 000006
【図３】
2006228446.tif 000007
【図４】
2006228446.tif 000008
【図５】
2006228446.tif 000009
【図６】
2006228446.tif 000010
【図７】
2006228446.tif 000011